(57)【要約】【課題】毛束の色の違いが判りやすく、かつ、在庫管理等に手間のかからない化粧料容器用トレイを提供する。【解決手段】化粧料容器を載置するトレイであって、トレイ本体１と、色の異なる複数の小毛束群２１，２２からなる毛束２とで構成されている。そして、この毛束２が、その両端部が上記トレイ本体１に固定された状態で、上記トレイ本体１に取り付けられ、上記トレイ本体１に、上記各小毛束群２１，２２の色に対応する情報が表示されている。【選択図】図４
0003110485.tif 000002
【実用新案登録請求の範囲】
【請求項１】
化粧料容器を載置するトレイであって、トレイ本体と、色の異なる複数の小毛束群からなる毛束とで構成され、この毛束が、その両端部が上記トレイ本体に固定された状態で、上記トレイ本体に取り付けられ、上記トレイ本体に、上記各小毛束群の色に対応する情報が表示されていることを特徴とする化粧料容器用トレイ。
【請求項２】
上記トレイ本体が、上面に化粧料容器を載置する台板部分と、この台板部分の一側部に設けた表示板部分とを備え、この表示板部分に上記毛束の両端部が固定されているとともに上記情報が表示されている請求項１記載の化粧料容器用トレイ。
【請求項３】
上記表示板部分に２本の切り目が形成され、これら両切り目の一方に上記毛束の一方の端部が挿通されて上記表示板部分の裏面側に配設されているとともに上記両切り目の他方に上記毛束の他方の端部が挿通されて上記表示板部分の裏面側に配設されてた状態で、上記表示板部分の表面側に上記毛束が配設され、上記毛束の両端部が上記表示板部分の裏面に固定されている請求項２記載の化粧料容器用トレイ。
【請求項４】
上記化粧料容器に毛染め剤が収容され、上記情報として、毛染め前の毛髪の色に関する色情報が上記各小毛束群の個数と同数だけ記載され、上記各小毛束群の色として、上記各色情報に対応する毛染め後の毛髪の色が表わされている請求項１〜３のいずれか一項に記載の化粧料容器用トレイ。
【請求項５】
上記化粧料容器に脱色剤が収容され、上記情報として、脱色剤塗布後の放置時間が上記各小毛束群の個数と同数だけ記載され、上記各小毛束群の色として、上記各放置時間に対応する脱色後の毛髪の色が表わされている請求項１〜３のいずれか一項に記載の化粧料容器用トレイ。
【請求項６】
上記トレイに複数の化粧料容器が載置され、これら複数の化粧料容器の少なくとも一つに毛染め剤が収容され、他の化粧料容器に脱色剤が収容され、上記情報として、毛染め前の毛髪の色に関する色情報が上記各小毛束群の個数と同数だけ記載されているとともに、脱色剤塗布後の放置時間が記載され、上記各小毛束群の色として、上記放置時間が経過したのちに毛染めした場合における、上記各色情報に対応する毛染め後の毛髪の色が表わされている請求項１〜３のいずれか一項に記載の化粧料容器用トレイ。
【請求項７】
化粧料容器を載置するトレイに取り付けられる毛束であって、色の異なる複数の小毛束群からなり、上記毛束の両端部が、上記トレイの一部を構成し上記各小毛束群の色に対応する情報が表示されたトレイ本体に固定されていることを特徴とする毛束。
【請求項８】
上記トレイ本体が、上面に化粧料容器を載置する台板部分と、この台板部分の一側部に設けた表示板部分とを備え、この表示板部分に上記毛束の両端部が固定されているとともに上記情報が表示されている請求項７記載の毛束。
【請求項９】
上記表示板部分に２本の切り目が形成され、これら両切り目の一方に上記毛束の一方の端部が挿通されて上記表示板部分の裏面側に配設されているとともに上記両切り目の他方に上記毛束の他方の端部が挿通されて上記表示板部分の裏面側に配設されてた状態で、上記表示板部分の表面側に上記毛束が配設され、上記毛束の両端部が上記表示板部分の裏面に固定されている請求項８の毛束。
【請求項１０】
上記化粧料容器が、毛染め剤が収容された化粧料容器からなり、上記情報として、毛染め前の毛髪の色に関する色情報が上記各小毛束群の個数と同数だけ記載され、上記各小毛束群の色として、上記各色情報に対応する毛染め後の毛髪の色が表わされている請求項７〜９のいずれか一項に記載の毛束。
【請求項１１】
上記化粧料容器が、脱色剤が収容された化粧料容器からなり、上記情報として、脱色剤塗布後の放置時間が上記各小毛束群の個数と同数だけ記載され、上記各小毛束群の色として、上記各放置時間に対応する脱色後の毛髪の色が表わされている請求項７〜９のいずれか一項に記載の毛束。
【請求項１２】
上記トレイに複数の化粧料容器が載置され、これら複数の化粧料容器が、毛染め剤が収容された化粧料容器と、脱色剤が収容された化粧料容器とからなり、上記情報として、毛染め前の毛髪の色に関する色情報が上記各小毛束群の個数と同数だけ記載されているとともに、脱色剤塗布後の放置時間が記載され、上記各小毛束群の色として、上記放置時間が経過したのちに毛染めした場合における、上記各色情報に対応する毛染め後の毛髪の色が表わされている請求項７〜９のいずれか一項に記載の毛束。
【考案の詳細な説明】
【技術分野】
【０００１】
本考案は、ヘアカラー〔脱色剤（ブリーチ剤），毛染め剤等の化粧料〕の販売に際し、その色見本として用いられる毛束を取り付けた化粧料容器用トレイおよびこれに取り付ける毛束に関するものである。
【背景技術】
【０００２】
従来から、ヘアカラーの販売用として、図１４および図１５に示すようなトレイ３０が用いられている。このトレイ３０は、そのトレイ本体３０ａが、プラスチック製の板体を折り曲げ成形して作製されたものであり、３〜５本のヘアカラー収容ボトル（図示せず）を載置しうる長方形状の台板部分３１と、この台板部分３１の一方の長辺（図面では、奥側の長辺）から立設された側板部分３２と、上記台板部分３１の一方の短辺（図面では、左側の短辺）から立設された立板部分３３と、この立板部分３３の上辺から水平に延びる水平板部分３４と、この水平板部分３４の一側辺（図面では、左側辺）から下向き傾斜状に延びる傾斜板部分３５とからなっている。そして、上記立板部分３３の上端部，水平板部分３４，傾斜板部分３５にかけて、表面にヘアカラーの品名，特長等が記載されたシール３６が貼着されている。
【０００３】
また、上記傾斜板部分３５には、Ｌ字状の切り欠き穴（図示せず）が穿設されており、この切り欠き穴に、色見本として毛束３８（上記ヘアカラー収容ボトルに収容するヘアカラーと同色に染色した多数本の毛髪サンプル体からなる）を吊り下げた毛束吊り下げ具３７が着脱自在に取り付けられている。このような毛束吊り下げ具３７の毛束３８には、通常、色見本として一色だけが毛染めされていることが多い。
【考案の開示】
【考案が解決しようとする課題】
【０００４】
近年、白髪染めを施す人（女性，男性ともに）が多くなってきているが、そのための毛染め剤を上記トレイ３０に載置して販売する場合には、上記毛染め剤を用いて白髪を毛染めした場合にどのような毛髪の色になり、黒毛を毛染めした場合にどのような毛髪の色になるのかを、色見本で説明することがよく行われている。また、最近の若い女性等は、毛髪の一部もしくは全体の色を変化させる場合に、脱色する（毛染め剤を使用せず、毛髪のメラニン色素を脱色することにより色を明るく変化させる）ことが多くなってきている。そこで、ブリーチ剤を上記トレイ３０に載置して販売することも行われているが、ブリーチ剤により脱色処理を行う場合には、毛髪の色を、毛髪にブリーチ剤を塗布したのちの放置時間で制御しているため、そのことを色見本で説明する必要がある。このようなトレイ３０として、図１６に示すものがよく出回っている。このトレイ３０は、図１４および図１５に示すトレイ３０において、上記傾斜板部分３５に矩形状の切り欠き穴３５ａ〜３５ｃを左右に並べて穿設し、各切り欠き穴３５ａ〜３５ｃから色見本（ブリーチ剤塗布後１０分，２０分および３０分放置した時点での毛髪の色を表わす色見本）として毛束３８ａ〜３８ｃ（上記１０分，２０分および３０分放置した時点での毛髪の色と同色に染色した多数本の毛髪サンプル体からなる）を吊り下げ、上記各切り欠き穴３５ａ〜３５ｃの上側に、ここから吊り下げる各毛束３８ａ〜３８ｃの色に変化するまでの時間（１０分，２０分および３０分）を記載するようにしている。
【０００５】
しかしながら、図１６に示すトレイ３０では、色が異なる３種類の毛束３８ａ〜３８ｃを左右に並べているだけであり、各毛束３８ａ〜３８ｃの色の違いが判りにくく、また、全体として目立ちにくい。このため、他商品との違いがはっきりとせず、宣伝効果に乏しい。しかも、多数の毛束３８ａ〜３８ｃを保管，在庫管理等する場合には、３種類の毛束３８ａ〜３８ｃに区別して保管，在庫管理等しなければならず、手間がかかる。そこで、毛束の色の違いが判りやすく、かつ、保管，在庫管理等に手間のかからない化粧料容器用トレイおよびこれに取り付ける毛束の提案が強く要望されている。
【０００６】
本考案は、このような事情に鑑みなされたもので、毛束の色の違いが判りやすく、かつ、在庫管理等に手間のかからない化粧料容器用トレイおよびこれに取り付ける毛束の提供をその目的とする。
【課題を解決するための手段】
【０００７】
上記の目的を達成するため、本考案は、化粧料容器を載置するトレイであって、トレイ本体と、色の異なる複数の小毛束群からなる毛束とで構成され、この毛束が、その両端部が上記トレイ本体に固定された状態で、上記トレイ本体に取り付けられ、上記トレイ本体に、上記各小毛束群の色に対応する情報が表示されている化粧料容器用トレイを第１の要旨とし、化粧料容器を載置するトレイに取り付けられる毛束であって、色の異なる複数の小毛束群からなり、上記毛束の両端部が、上記トレイの一部を構成し上記各小毛束群の色に対応する情報が表示されたトレイ本体に固定されている毛束を第２の要旨とする。
【考案の効果】
【０００８】
すなわち、本考案の化粧料容器用トレイは、毛束を、色の異なる複数の小毛束群に分割してこの毛束の両端部をトレイ本体に固定した状態でトレイ本体に取り付け、上記各小毛束群の色に対応する情報を、トレイ本体に表示しているため、脱色剤等で毛髪の一部もしくは全体を脱色等した場合に、上記情報で脱色剤塗布後の放置時間等を表わし、上記各小毛束群の色で、放置時間等に対応する脱色後の毛髪の色等を表わすことにより、若い女性等は、本考案の化粧料容器用トレイを見ることにより、脱色剤塗布後どの程度の時間放置等しておくと、脱色後の毛髪の色等が実際にどのような色になるのかが一目で判り、非常に便利である。しかも、本考案の化粧料容器用トレイは、トレイ本体に、複数の小毛束群からなる毛束を取り付けているため、複数に区別して保管，在庫管理等する必要がなく、手間がかからない。一方、本考案の毛束は、これを上記化粧料容器用トレイに用いることができ、上記優れた効果を奏する。
【０００９】
本考案の化粧料容器用トレイおよび毛束において、上記トレイ本体が、上面に化粧料容器を載置する台板部分と、この台板部分の一側部に設けた表示板部分とを備え、この表示板部分に上記毛束の両端部が固定されているとともに上記情報が表示されていると、台板部分上に化粧料容器を陳列載置し、上記台板部分の一側部に設けた表示板部分を利用して上記毛束を取り付けるとともに、上記情報を表示することができ、使い勝手がよい。
【００１０】
本考案の化粧料容器用トレイおよび毛束において、上記表示板部分に２本の切り目が形成され、これら両切り目の一方に上記毛束の一方の端部が挿通されて上記表示板部分の裏面側に配設されているとともに上記両切り目の他方に上記毛束の他方の端部が挿通されて上記表示板部分の裏面側に配設されてた状態で、上記表示板部分の表面側に上記毛束が配設され、上記毛束の両端部が上記表示板部分の裏面に固定されていると、上記表示板部分に直接毛束を取り付けることができるうえ、上記毛束の両端部が上記表示板部分の裏面側に隠れており、損傷等しにくい。
【００１１】
本考案の化粧料容器用トレイにおいて、上記化粧料容器に毛染め剤が収容され、上記情報として、毛染め前の毛髪の色に関する色情報が上記各小毛束群の個数と同数だけ記載され、上記各小毛束群の色として、上記各色情報に対応する毛染め後の毛髪の色が表わされている場合には、上記情報および各小毛束群の色から、毛染め前の毛髪の色がどのような色をしていると、毛染め後の毛髪の色が実際にどのような色になるのかが一目で判る。また、本考案の毛束において、上記化粧料容器が、毛染め剤が収容された化粧料容器からなり、上記情報として、毛染め前の毛髪の色に関する色情報が上記各小毛束群の個数と同数だけ記載され、上記各小毛束群の色として、上記各色情報に対応する毛染め後の毛髪の色が表わされている場合にも、同様の効果を奏する。
【００１２】
本考案の化粧料容器用トレイにおいて、上記化粧料容器に脱色剤が収容され、上記情報として、脱色剤塗布後の放置時間が上記各小毛束群の個数と同数だけ記載され、上記各小毛束群の色として、上記各放置時間に対応する脱色後の毛髪の色が表わされている場合には、上記情報および各小毛束群の色から、脱色剤塗布後どの程度の時間放置しておくと、脱色後の毛髪の色が実際にどのような色になるのかが一目で判る。また、上記化粧料容器が、脱色剤が収容された化粧料容器からなり、上記情報として、脱色剤塗布後の放置時間が上記各小毛束群の個数と同数だけ記載され、上記各小毛束群の色として、上記各放置時間に対応する脱色後の毛髪の色が表わされている場合にも、同様の効果を奏する。
【００１３】
また、本考案の化粧料容器用トレイにおいて、上記トレイに複数の化粧料容器が載置され、これら複数の化粧料容器の少なくとも一つに毛染め剤が収容され、他の化粧料容器に脱色剤が収容され、上記情報として、毛染め前の毛髪の色に関する色情報が上記各小毛束群の個数と同数だけ記載されているとともに、脱色剤塗布後の放置時間が記載され、上記各小毛束群の色として、上記放置時間が経過したのちに毛染めした場合における、上記各色情報に対応する毛染め後の毛髪の色が表わされている場合には、上記情報および各小毛束群の色から、毛染め前の毛髪の色がどのような色であり、脱色剤塗布後の放置時間が何分程度であると、毛染め後の毛髪の色が実際にどのような色になるのかが一目で判る。また、上記トレイに複数の化粧料容器が載置され、これら複数の化粧料容器が、毛染め剤が収容された化粧料容器と、脱色剤が収容された化粧料容器とからなり、上記情報として、毛染め前の毛髪の色に関する色情報が上記各小毛束群の個数と同数だけ記載されているとともに、脱色剤塗布後の放置時間が記載され、上記各小毛束群の色として、上記放置時間が経過したのちに毛染めした場合における、上記各色情報に対応する毛染め後の毛髪の色が表わされている場合にも、同様の効果を奏する。
【考案を実施するための最良の形態】
【００１４】
つぎに、本考案の実施の形態を図面にもとづいて説明する。
【００１５】
図１は本考案の化粧料容器用トレイの一実施の形態を示している。図において、１はプラスチック製の板体を折り曲げ成形して作製されたトレイ本体であり、２はこのトレイ本体１に取り付けられた毛束である。上記トレイ本体１は、図２に示すように、長方形状の台板部分１１と、この台板部分１１の一方の長辺（図面では、奥側の長辺）から立設された側板部分１２と、上記台板部分１１の一方の短辺（図面では、左側の短辺）から立設された立板部分１３と、この立板部分１３の上辺から水平に延びる水平板部分１４と、この水平板部分１４の一側辺（図面では、左側辺）から下向き傾斜状に延びる傾斜板部分（表示板部分）１５とからなっており、この傾斜板部分１５の一側部分（図面では、奥側の部分）に上下一対の切り目１６ａ，１６ｂ（これら両切り目１６ａ，１６ｂは、右側に向かって下り傾斜状に傾斜する右下向き切り目として形成されている）が形成されている。そして、使用時には、台板部分１１上に３〜５本の毛染め剤収容ボトル（図示せず）が載置される。図１および図２において、１７は表面に毛染め剤の品名，特長等（図示せず）が記載されたシールであり、上記立板部分１３の上端部，水平板部分１４および傾斜板部分１５にかけて貼着されている。
【００１６】
上記毛束２は、その一側（図面では、右側）が、濃い茶色（毛染め剤塗布前の毛髪の色が暗い場合における、毛染め後の毛髪の色）に染色された小毛束群２１からなり、その他側（図面では、左側）が、明るい茶色（毛染め剤塗布前の毛髪の色が明るい場合における、毛染め後の毛髪の色）に染色された小毛束群２２からなっている（すなわち、色の異なる２種類の小毛束群２１，２２からなっている）。このような毛束２は、両小毛束群２１，２２を左右に配設しその端部２１ａ，２１ｂ，２２ａ，２２ｂ同士を一体化した帯状体として作製されている（図３参照）。なお、上記各毛髪サンプル体としては、人毛，ヤクの毛，ヤギの毛等の天然毛や人工毛が用いられており、これに所定の色（この実施の形態では、濃い茶色，明るい茶色）が染色されている。
【００１７】
このような毛束２は、その一方の端部２１ａ，２２ａ（図面では、上端部）が上記傾斜板部分１５の両切り目１６ａ，１６ｂの一方（図面では、上側）の切り目１６ａに挿通されているとともに、その他方の端部２１ｂ，２２ｂ（図面では、下端部）が上記両切り目１６ａ，１６ｂの他方（図面では、下側）の切り目１６ｂに挿通された状態で、上記傾斜板部分１５の表面側に配設されており、上記毛束２の両端部２１ａ，２２ａが上記傾斜板部分１５の裏面に接着シート，接着剤等の固定手段（図示せず）で固定されている。この実施の形態では、上記毛束２は上下方向に（縦向きに）配設され、上記両切り目１６ａ，１６ｂ間でなだらかに湾曲（例えば、略１／２円弧状に湾曲）している（図１参照）。
【００１８】
また、上記シール１７には、上記傾斜板部分１５に貼着された部分の表面上部（上記傾斜板部分１５の上側の切り目１６ａの上方）に、毛束２の両小毛束群２１，２２に関する情報として、「元の髪色」の文字が記載されているとともに、この文字の下側の右側部分（濃い茶色に染色された小毛束群２１に対応する部分）に「暗い髪の染まり」の文字が記載されており、その左側部分（明るい茶色に染色された小毛束群２２に対応する部分）に「明るい髪の染まり」の文字が記載されている（図４参照）。なお、これらの文字は、図１および図２では、図示せず。
【００１９】
このように、上記実施の形態では、シール１７の、傾斜板部分１５に貼着された部分の表面上部に「暗い髪の染まり」と「明るい髪の染まり」の文字が記載されており、これら両文字に対応するように、濃い茶色に染色された小毛束群２１と明るい茶色に染色された小毛束群２２とが配設されている。このため、毛染め剤塗布前の毛髪の色が暗い場合には、実際にどのような色に毛染めされるのかが小毛束群２１の色で一目で判り、毛染め剤塗布前の毛髪の色が明るい場合には、実際にどのような色に毛染めされるのかが小毛束群２２の色で一目で判る。しかも、上記毛束２は、両小毛束群２１，２２が一体化されたものであり、在庫管理等の管理面が簡素化する。
【００２０】
図５は本考案の化粧料容器用トレイの他の実施の形態に表示される情報を示している。この実施の形態では、化粧料容器用トレイとして、ブリーチ剤収容ボトルを販売するための化粧料容器用トレイが用いられる。したがって、上記毛束２は、その一側（図面では、右側）が、濃い茶色（毛髪にブリーチ剤を塗布したのち１５分放置した場合における、脱色後の毛髪の色）に染色された小毛束群２３からなり、その他側（図面では、左側）が、明るい茶色（毛髪にブリーチ剤を塗布したのち３０分放置した場合における、脱色後の毛髪の色）に染色された小毛束群２４からなっている。
【００２１】
また、上記シール１７には、両小毛束群２３，２４に関する情報として、その表面の上部に、「ブリーチ＆カラー」の文字が記載されている。また、この文字の下側の右側部分（濃い茶色に染色された小毛束群２３に対応する部分）に「１５分放置」の文字が記載されており、その左側部分（明るい茶色に染色された小毛束群２４に対応する部分）に「３０分放置」の文字が記載されている。それ以外の部分は上記実施の形態と同様であり、同様の部分には同じ符号を付している。
【００２２】
上記のように、この実施の形態では、シール１７に「１５分放置」と「３０分放置」の文字が記載されており、これら両文字に対応するように、濃い茶色に染色された小毛束群２３と明るい茶色に染色された小毛束群２４とが配設されている。このため、１５分放置しておくと、実際にどのような色に脱色されるのかが小毛束群２３の色で一目で判り、３０分放置しておくと、実際にどのような色に脱色されるのかが小毛束群２４の色で一目で判る。しかも、毛束２は、両小毛束群２３，２４が一体化されたものであり、在庫管理等の管理面が簡素化する。
【００２３】
図６は本考案の化粧料容器用トレイのさらに他の実施の形態に表示される情報を示している。この実施の形態では、化粧料容器用トレイとして、毛染め剤収容ボトルおよびブリーチ剤収容ボトルを販売するための化粧料容器用トレイが用いられる。また、上記毛束２は、その一側（図面では、右側）が、濃い茶色（毛髪の色が暗い場合に、毛髪にブリーチ剤を塗布したのち１５分放置した場合における、毛染め後の毛髪の色）に染色された小毛束群２５からなり、その他側（図面では、左側）が、明るい茶色（毛髪の色が明るい場合に、毛髪にブリーチ剤を塗布したのち１５分放置した場合における、毛染め後の毛髪の色）に染色された小毛束群２６からなっている。
【００２４】
また、上記シール１７には、両小毛束群２５，２６に関する情報として、その表面の上部に、「元の髪色」の文字が記載されているとともに、この文字の下側の右側部分（濃い茶色に染色された小毛束群２５に対応する部分）に「暗い髪の染まり」の文字が記載されており、その左側部分（明るい茶色に染色された小毛束群２６に対応する部分）に「明るい髪の染まり」の文字が記載されている。また、これら両文字の下側に「１５分放置」の文字が記載されている。それ以外の部分は上記両実施の形態と同様であり、同様の部分には同じ符号を付している。
【００２５】
上記のように、この実施の形態では、シール１７に「暗い髪の染まり」と「明るい髪の染まり」と「１５分放置」の文字が記載されており、これらの文字に対応するように、濃い茶色に染色された小毛束群２５と明るい茶色に染色された小毛束群２６とが配設されている。このため、ブリーチ剤塗布前の毛髪の色が暗い場合には、ブリーチ剤を塗布して１５分放置したのち毛染め剤で毛染めすると、実際にどのような色に毛染めされるのかが小毛束群２５の色で一目で判り、ブリーチ剤塗布前の毛髪の色が明るい場合には、ブリーチ剤を塗布して１５分放置したのち毛染め剤で毛染めすると、実際にどのような色に毛染めされるのかが小毛束群２６の色で一目で判る。しかも、毛束２は、両小毛束群２５，２６が一体化されたものであり、在庫管理等の管理面が簡素化する。
【００２６】
なお、上記各実施の形態では、毛束２を濃い茶色と明るい茶色とに染色しているが、これに限定するものではなく、どのような色に染色してもよい。また、上記各実施の形態では、毛束２を２種類の色に染色しているが、３種類以上の色に染色してもよい。また、上記各実施の形態において、立板部分１３の上端部と水平板部分１４と傾斜板部分１５の表面に、ヘアカラーの品名，特長等を表示する印刷を施してもよい。また、上記情報としては、上記各実施の形態に表示したものに限定されるものではなく、これらを組み合わせたもの等、各種のものにすることができる。
【００２７】
また、上記各実施の形態では、上記両切り目１６ａ，１６ｂを右下向き切り目に形成しているが、これに限定するものではなく、図７に示すように、左側に向かって下り傾斜状に傾斜する左下向き切り目として形成してもよいし、図８に示すように、水平に並ぶ平行な切り目として形成してもよいし、図９に示すように、右側に向かって拡がるハの字形状の切り目として形成してもよいし、図１０に示すように、左側に向かって拡がる逆ハの字形状の切り目として形成してもよい。また、上記両切り目１６ａ，１６ｂをトレイ本体１の傾斜板部分１５に左右一対に形成してもよい。この場合にも、上記両切り目１６ａ，１６ｂを、右側に向かって上り傾斜状に傾斜する右上向き切り目として形成してもよいし、左側に向かって上り傾斜状に傾斜する左上向き切り目として形成してもよいし、垂直に並ぶ平行な切り目として形成してもよいし、下側に向かって拡がるハの字形状の切り目として形成してもよいし、上側に向かって拡がる逆ハの字形状の切り目として形成してもよい。また、上記各実施の形態では、上記毛束２を縦向きに配設し、上記両切り目１６ａ，１６ｂ間でなだらかに湾曲させているが、これに限定するものではなく、図１１に示すように、縦向きでストレートにしてもよいし、図１２に示すように、横向きで（左右方向で）湾曲させてもよいし、図１３に示すように、横横向きでストレートにしてもよい。
【図面の簡単な説明】
【００２８】
【図１】本考案の化粧料容器用トレイの一実施の形態を示す斜視図である。
【図２】トレイ本体の斜視図である。
【図３】毛束の説明図である。
【図４】上記毛束に関する情報の説明図である。
【図５】本考案の化粧料容器用トレイの他の実施の形態に表示される情報の説明図である。
【図６】本考案の化粧料容器用トレイのさらに他の実施の形態に表示される情報の説明図である。
【図７】上記トレイ本体の変形例を示す斜視図である。
【図８】上記トレイ本体の他の変形例を示す斜視図である。
【図９】上記トレイ本体のさらに他の変形例を示す斜視図である。
【図１０】上記トレイ本体のさらに他の変形例を示す斜視図である。
【図１１】上記毛束の取り付け状態の変形例を示す斜視図である。
【図１２】上記毛束の取り付け状態の他の変形例を示す斜視図である。
【図１３】上記毛束の取り付け状態のさらに他の変形例を示す斜視図である。
【図１４】従来例のトレイを示す斜視図である。
【図１５】従来例のトレイを示す側面図である。
【図１６】他の従来例のトレイを示す斜視図である。
【符号の説明】
【００２９】
１  トレイ本体
２  毛束
２１，２２  小毛束群
【図１】
0003110485.tif 000003
【図２】
0003110485.tif 000004
【図３】
0003110485.tif 000005
【図４】
0003110485.tif 000006
【図５】
0003110485.tif 000007
【図６】
0003110485.tif 000008
【図７】
0003110485.tif 000009
【図８】
0003110485.tif 000010
【図９】
0003110485.tif 000011
【図１０】
0003110485.tif 000012
【図１１】
0003110485.tif 000013
【図１２】
0003110485.tif 000014
【図１３】
0003110485.tif 000015
【図１４】
0003110485.tif 000016
【図１５】
0003110485.tif 000017
【図１６】
0003110485.tif 000018